【事件の表示】
　特許第３１１４４０４号「自動落とし込み機能付風呂釜装置」の請求項１に係る特許に対する特許異議の申立てについて、次のとおり決定する。
【結　論】
　訂正を認める。
　特許第３１１４４０４号の請求項１に係る特許を維持する。
【理　由】
１．手続の経緯
　特許第３１１４４０４号の請求項１に係る発明は、平成４年１１月２７日に特許出願され、平成１２年９月２９日にその特許権の設定登録がされ、その後異議申立人中沢誠により特許異議の申立てがなされ、取消しの理由が通知され、その指定期間内である平成１３年１０月２４日に訂正請求がされ（後日取り下げ）、再度取消しの理由が通知され、その指定期間内である平成１４年１月１５日に訂正請求がされた後、訂正拒絶理由が通知され、平成１４年４月１２日に手続補正書が提出されたものである。
　
２．訂正の適否についての判断
（１）訂正の内容
　平成１４年４月１２日付け手続補正書により補正された訂正請求書による訂正の内容は次のとおりである。
　
（訂正事項ａ）
　特許請求の範囲の請求項１において、「給湯器からの水又は温水を風呂自動落とし込み路から風呂追い焚き用循環路を通して自動的に浴槽へ落とし込むことができるようにした自動落とし込み機能付風呂釜装置であって、浴槽水位が風呂追い焚き用循環金具を越える水位から以下の水位へと減少した際に、前記給湯器からの水を一定時間若しくは一定量を前記風呂追い焚き用循環路を通して浴槽に落とし込む構成としたことを特徴とする自動落とし込み機能付風呂釜装置。」とあるを、特許請求の範囲の減縮を目的として、「給湯器からの水又は温水を風呂自動落とし込み路から風呂追い焚き用循環路を通して自動的に浴槽へ落とし込むことができるようにした自動落とし込み機能付風呂釜装置であって、浴槽水位が風呂追い焚き用循環金具を越える水位から以下の水位へと減少した際には、風呂追い焚き運転スイッチがオンしている場合と自動保温、自動補水運転スイッチがオンしている場合とを除き、前記給湯器からの水を一定時間若しくは一定量を前記風呂追い焚き用循環路を通して浴槽に落とし込む構成としたしたことを特徴とする自動落とし込み機能付風呂釜装置。」と訂正する。
　
（訂正事項ｂ）
　段落【０００３】において、「前記循環路内等に残留してしいる水あか」とあるを、明りょうでない記載の釈明を目的として、「前記循環路内等に残留している水あか」と訂正する。
　
（訂正事項ｃ）
　段落【０００５】において、「浴槽水位が風呂追い焚き用循環金具を越える水位から以下の水位へと減少した際に、前記給湯器からの水を一定時間若しくは一定量を前記風呂追い焚き用循環路を通して浴槽に落とし込む構成とした」とあるを、明りょうでない記載の釈明を目的として、「浴槽水位が風呂追い焚き用循環金具を越える水位から以下の水位へと減少した際には、風呂追い焚き運転スイッチがオンしている場合と自動保温、自動補水運転スイッチがオンしている場合とを除き、前記給湯器からの水を一定時間若しくは一定量を前記風呂追い焚き用循環路を通して浴槽に落とし込む構成とした」と訂正する。
　
（訂正事項ｄ）
　段落【０００８】において、「風呂往き管２２をから循環金具１１」とあるを、明りょうでない記載の釈明を目的として、「風呂往き管２２から循環金具１１」と訂正する。
　
（訂正事項ｅ）
　段落【００１５】において、「浴槽水位が風呂追い焚き用循環金具を越える水位から以下の水位へと減少した際に、給湯器からの水を一定時間若しくは一定量を風呂追い焚き用循環路を通して浴槽に落とし込む構成とした」とあるを、明りょうでない記載の釈明を目的として、「浴槽水位が風呂追い焚き用循環金具を越える水位から以下の水位へと減少した際には、風呂追い焚き運転スイッチがオンしている場合と自動保温、自動補水運転スイッチがオンしている場合とを除き、給湯器からの水を一定時間若しくは一定量を前記風呂追い焚き用循環路を通して浴槽に落とし込む構成とした」と訂正する。
　
（２）訂正の目的の適否、新規事項の有無及び拡張・変更の存否
　上記訂正事項ａは、発明の構成に欠くことができない事項である「浴槽水位が風呂追い焚き用循環金具を越える水位から以下の水位へと減少した際に、前記給湯器からの水を一定時間若しくは一定量を前記風呂追い焚き用循環路を通して浴槽に落とし込む構成とした」を、これに含まれる事項である「浴槽水位が風呂追い焚き用循環金具を越える水位から以下の水位へと減少した際には、風呂追い焚き運転スイッチがオンしている場合と自動保温、自動補水運転スイッチがオンしている場合とを除き、前記給湯器からの水を一定時間若しくは一定量を前記風呂追い焚き用循環路を通して浴槽に落とし込む構成とした」に限定するものであり、これに関連する記載として、段落【００１４】に「風呂追い焚き運転スイッチや自動保温、自動補水運転スイッチがオンしている場合には、上記自動落とし込みによる洗浄モードに入らないようにしてもよい。」との記載があるから、特許請求の範囲の減縮を目的とした明細書の訂正に該当する。
　上記訂正事項ｂ及びｄは、文章中に不要な１文字が入っているのを削除したもので、明りょうでない記載の釈明を目的とした明細書の訂正に該当する。
　上記訂正事項ｃ及びｅは、上記訂正事項ａと整合を図るものであるから、明りょうでない記載の釈明を目的とした明細書の訂正に該当する。
　そして、いずれも、新規事項の追加に該当せず、実質上特許請求の範囲を拡張又は変更するものでもない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
（１）本件発明
　上記２．で示したように上記訂正が認められるから、本件の請求項１に係る発明（以下、「本件発明」という。）は、上記訂正請求に係る訂正明細書の特許請求の範囲の請求項１（２．（１）（訂正事項ａ）参照）に記載されたとおりのものである。
　
（２）申立ての理由の概要
　申立人中沢誠は、下記の甲第１号証及び甲第２号証を提出し、本件発明は、甲第１号証に記載された発明であるので、本件発明の特許は、特許法第２９条第１項第３号の規定に違反してなされたもの、もしくは、甲第１号証及び甲第２号証に記載された発明に基いて、当業者が容易に発明をすることができたものであので、本件発明の特許は、特許法第２９条第２項の規定に違反してなされたものであるから、本件発明の特許は取り消されるべき旨主張している。
　甲第１号証：特開平４−２９５５４４号公報
　甲第２号証：実願昭６２−４４４３１号（実開昭６３−１５３０５７号）のマイクロフィルム
　
（３）甲各号証記載の発明
　甲第１号証には、「本発明は、・・・浴槽の排水栓を抜いて浴槽水を排出すると、浴槽水の循環追だき管路内の残水を浴槽中に押し出して新たな浄水と置換させることができる強制追だき付給湯風呂釜の排水方法を提供することを目的とする。」（段落【０００７】）、「本発明を適用する給湯風呂釜は、・・・給湯熱交換器２・・・と、追だき用熱交換器３・・・とを具備し、給湯熱交換器２の出湯管４は注湯電磁弁５を有する分岐管路により循環追だき管路６に接続されており、その循環追だき管路６の往管と戻り管の端末は浴槽循環口１０ａに接続され、浴槽１０への湯張りは、注湯電磁弁５を開いて、給湯熱交換器２により加熱された湯を循環追だき管路６の往管と戻り管とを介して注湯することにより行なうように構成されている。・・・」（段落【００１１】）、「・・・浴槽中の水位は水位センサ８により常に検出されている。・・・浴槽の排水栓１０ｂが抜かれると、浴槽水位は次第に下降し、浴槽水位が循環口１０ａ以下になったことを水位センサ８が検出する。・・・注湯電磁弁５を開いて循環追だき管路６を介して浴槽１０中に注水する。・・・循環追だき管路を経由する浴槽への注水は、バーナ１２を燃焼させてもよいし、燃焼させなくてもよい。」（段落【００１３】）、「・・・注湯電磁弁５を開いて循環追だき管路を経由する浴槽への注水を開始すると、制御部はその注水時間をカウントし、それが設定された一定時間経過すると注湯電磁弁５を閉じる。この注水時間は、給水圧により循環追だき管路６中に残留していた残水が浴槽中に向って押し出され、それが完全に浴槽中に排出されるまでの時間であって、・・・」（段落【００１４】）、「または、・・・給水時間のカウントに代えて、・・・給水量をカウントし、設定給水量に達したら注湯電磁弁５を閉じてもよい。」（段落【００１５】）と記載され、これらの記載、及び、図１〜４の記載からみて、甲第１号証には、「給湯熱交換機により加熱された湯を出湯管から循環追だき管路を通して自動的に浴槽へ注湯することができるようにした給湯風呂釜であって、浴槽の排水栓を抜いて浴槽水を排出し、浴槽水位が循環口を越える水位から以下の水位へと減少した際に、注湯電磁弁を開いて一定時間若しくは一定量を前記循環追だき管路を通して浴槽に注水する構成とした給湯風呂釜」の発明が記載されている。
　
　甲第２号証には、「浴槽に接続された循環配管に、循環ポンプと水位センサーを設けると共に電磁弁を介してシスターンを接続して成る風呂釜付給湯機において、前記水位センサーで浴槽の水位が一定値以下になったことを検知したときは、前記循環ポンプを所定時間駆動させて前記シスターンから循環配管中に浄水を流すようにしたことを特徴とする風呂釜付給湯機。」（実用新案登録請求の範囲）、「１は浴槽、２は開口部が浴槽１に接続された循環配管である。前記循環配管２には、電磁弁３を介してシスターン４が接続されている。このシスターン４は、浴槽１に給湯する場合の給水源としての作用を為す」（第３頁第１０〜１５行）、「前記循環配管２には、循環ポンプ５が設けられている。この循環ポンプ５は、浴槽１内の水を循環配管２内で循環させたり、シスターン１から浴槽１に給水する場合に用いられる。前記循環配管２には、水位センサー７が設けられている。」（第４頁第９〜１４行）、「前記循環配管２は、その一部が熱交換器８に巻回されている。」（第５頁第２〜３行）、「浴槽１への給湯時には、・・・循環ポンプ５を駆動させることによってシスターン４から循環配管２中に水を流入させ、熱交換器８部分で加熱することによって、浴槽１へ温水が給湯される。また、浴槽１内の温水を追焚する場合には、・・・浴槽１から循環配管２中に温水を流入させ、熱鋼管機器８部分で加熱することによって浴槽１内の温水が追焚される。」（第５頁第７〜１６行）、「本考案に係る風呂釜付給湯機によれば、浴槽１の排水栓１０を開いて浴槽１内の水を排水する際に、浴槽の水位が一定値以下になったことを水位センサー７で検知して電磁弁３をＡ方向に切替え、循環ポンプ５を駆動するように構成されている。このように、浴槽１内の排水時にシスターンから循環配管内に浄水を流すことによって循環配管内にゴミ・アカ等が付着することは解消される。」（第５頁末行〜第６頁第７行）と記載され、これらの記載、及び、第１図の記載からみて、甲第２号証には、「シスターンからの水を循環配管から熱交換器を通して自動的に浴槽へ落とし込むことができるようにした風呂釜付給湯機であって、浴槽の水位が一定値以下になった際には、前記シスターンからの浄水を循環配管内を流すように構成した風呂釜付給湯」の発明が記載されている。
　
（４）対比・判断
　本件発明と甲第１号証記載の発明を対比すると、甲第１号証記載の発明の、「給湯熱交換器により加熱された湯」、「出湯管」、「循環追だき管路」、「注水する、注湯する」「給湯風呂釜」、「循環口」は、それぞれ、本件発明の、「給湯器からの温水」、「風呂自動落とし込み路」、「風呂追い焚き用循環路」、「落とし込む」、「自動落とし込み機能付風呂釜装置」、「風呂追い焚き用循環金具」に相当し、また、甲第１号証記載の発明は、注湯電磁弁を開くことにより、給湯熱交換器に接続された出湯管を経由する湯を循環追だき管路に導くものであり、その出湯管を経由して循環追だき管路に導かれる湯は、「循環追だき管路を経由する浴槽への注水は、バーナ１２を燃焼させてもよいし、燃焼させなくてもよい。」（段落【００１３】）の記載から、加熱されていない水であっても良いことは明らかであるから、甲第１号証記載の発明の、「注湯電磁弁を開いて・・・循環追だき管路を通して浴槽に注水する」は、本件発明の、「給湯器からの水を・・・風呂追い焚き用循環路を通して浴槽に落とし込む」に相当する。従って、両者は、給湯器からの水又は温水を風呂自動落とし込み路から風呂追い焚き用循環路を通して自動的に浴槽へ落とし込むことができるようにした自動落とし込み機能付風呂釜装置であって、浴槽水位が風呂追い焚き用循環金具を越える水位から以下の水位へと減少した際に、前記給湯器からの水を一定時間若しくは一定量を前記風呂追い焚き用循環路を通して浴槽に落とし込む構成とした自動落とし込み機能付風呂釜装置の点で一致し、浴槽水位が風呂追い焚き用循環金具を越える水位から以下の水位へと減少した際に、給湯器からの水を一定時間若しくは一定量を風呂追い焚き用循環路を通して浴槽に落とし込むに際して、本件発明は、風呂追い焚き運転スイッチがオンしている場合と自動保温、自動補水運転スイッチのオンしている場合とを除き、としているのに対し、甲第１号証記載の発明には、浴槽の排水栓を抜いて浴槽水を排出した時、としている点で相違する。そして、本件発明は、この点によって、平成１４年１月１５日提出の意見書で主張する「自動保温、自動補水運転中の場合と風呂追い焚き運転が行われている場合には洗浄水を流さないようにし、これによって入浴中の注水を避けるという課題を、かなり高水準の確率で具体的に達成することができる」という作用効果を奏するものである。
　したがって、本件発明は、甲第１号証記載の発明と同一であるとはいえない。
　
　また、上記相違点における本件発明の構成は、甲第２号証にも記載されておらず、又、示唆するところもないから、本件発明が、甲第１号証及び甲第２号証記載の発明に基いて当業者が容易に発明をすることができたものともいえない。
　
（５）むすび
　以上のとおりであるから、特許異議申立ての理由及び証拠によっては、本件発明の特許を取り消すことができない。
　また、他に本件発明の特許を取り消すべき理由を発見しない。
　したがって、本件発明の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年４月３０日（２００２．４．３０）
【訂正の要旨】
訂正の要旨
訂正事項ａ
　特許請求の範囲の請求項１において、「浴槽水位が風呂追い焚き用循環金具を越える水位から以下の水位へと減少した際に、前記給湯器からの水を一定時間若しくは一定量を前記風呂追い焚き用循環路を通して浴槽に落とし込む構成とした」とあるを、特許請求の範囲の減縮を目的として、「浴槽水位が風呂追い焚き用循環金具を越える水位から以下の水位へと減少した際には、風呂追い焚き運転スイッチがオンしている場合と自動保温、自動補水運転スイッチがオンしている場合とを除き、前記給湯器からの水を一定時間若しくは一定量を前記風呂追い焚き用循環路を通して浴槽に落とし込む構成とした」と訂正する。
訂正事項ｂ
　明細書段落【０００３】において、「前記循環路内等に残留してしいる水あか」とあるを、明りょうでない記載の釈明を目的として、「前記循環路内等に残留している水あか」と訂正する。
訂正事項ｃ
　明細書段落【０００５】において、「浴槽水位が風呂追い焚き用循環金具を越える水位から以下の水位へと減少した際に、前記給湯器からの水を一定時間若しくは一定量を前記風呂追い焚き用循環路を通して浴槽に落とし込む構成とした」とあるを、明りょうでない記載の釈明を目的として、「浴槽水位が風呂追い焚き用循環金具を越える水位から以下の水位へと減少した際には、風呂追い焚き運転スイッチがオンしている場合と自動保温、自動補水運転スイッチがオンしている場合とを除き、前記給湯器からの水を一定時間若しくは一定量を前記風呂追い焚き用循環路を通して浴槽に落とし込む構成とした」と訂正する。
訂正事項ｄ
　明細書段落【０００８】において、「風呂往き管２２をから循環金具１１」とあるを、明りょうでない記載の釈明を目的として、「風呂往き管２２から循環金具１１」と訂正する。
訂正事項ｅ
　明細書段落【００１５】において、「浴槽水位が風呂追い焚き用循環金具を越える水位から以下の水位へと減少した際に、給湯器からの水を一定時間若しくは一定量を風呂追い焚き用循環路を通して浴槽に落とし込む構成とした」とあるを、明りょうでない記載の釈明を目的として、「浴槽水位が風呂追い焚き用循環金具を越える水位から以下の水位へと減少した際には、風呂追い焚き運転スイッチがオンしている場合と自動保温、自動補水運転スイッチがオンしている場合とを除き、給湯器からの水を一定時間若しくは一定量を前記風呂追い焚き用循環路を通して浴槽に落とし込む構成とした」と訂正する。
（５４）【発明の名称】
自動落とし込み機能付風呂釜装置
（５７）【特許請求の範囲】
　【請求項１】　給湯器からの水又は温水を風呂自動落とし込み路から風呂追い焚き用循環路を通して自動的に浴槽へ落とし込むことができるようにした自動落とし込み機能付風呂釜装置であって、浴槽水位が風呂追い焚き用循環金具を越える水位から以下の水位へと減少した
際には、風呂追い焚き運転スイッチがオンしている場合と自動保温、自動補水運転スイッチがオンしている場合とを除き、
【発明の詳細な説明】
　【０００１】
　【産業上の利用分野】
　本発明は給湯器からの温水を浴槽に自動的に落とし込むことができるようにした自動落とし込み機能付風呂釜装置に関する。
　【０００２】
　【従来の技術】
　従来におけるこの種自動落とし込み機能付風呂釜装置においては、給湯器からの浴槽への自動落とし込みは、最初に浴槽へ湯張りする場合や、所定の浴槽水位を保持するための補水として、また高温水の差し湯による加熱手段として用いられている。
　【０００３】
　【発明が解決しようとする課題】
　ところで、風呂使用後には浴槽内の湯を排水するが、浴槽内の湯を排水しても、浴槽水が循環する風呂釜内の管路には湯が残ったままとなる。そしてこの残った湯の中に水あかやぬめりが含まれているため、翌日等に浴槽へ自動落とし込み給湯をしたり、浴槽水の追い焚き循環を行った際に、浴槽は綺麗に洗浄しているにも係わらず、前記循環路内等に残留
している
　【０００４】
　そこで本発明は、上記従来技術の欠点を解消し、風呂使用時に水あかやぬめりのない綺麗な入浴ができる自動落とし込み機能付風呂釜装置の提供を目的とする。
　【０００５】
　【課題を解決するための手段】
　上記目的を達成するため、本発明は、給湯器からの水又は温水を風呂自動落とし込み路から風呂追い焚き用循環路を通して自動的に浴槽へ落とし込むことができるようにした自動落とし込み機能付風呂釜装置であって、浴槽水位が風呂追い焚き用循環金具を越える水位から以下の水位へと減少した
際には、風呂追い焚き運転スイッチがオンしている場合と自動保温、自動補水運転スイッチがオンしている場合とを除き、
　【０００６】
　【作用】
　風呂使用の終了により浴槽水の排水栓が抜かれると、浴槽水の排水により浴槽水位が次第に低下する。そして浴槽水位が風呂追い焚き用循環金具以下になると、それが検出されることによって、風呂自動落とし込みの開閉弁等が一定時間若しくは一定量に達するまで開かれる。これによって、給湯器からの清浄水が風呂自動落とし込み路から風呂釜内の風呂追い焚き用循環路を通って浴槽に流れ込み、これによって風呂釜内通路に残留している浴槽水が浴槽側に排出され、風呂釜内通路が清浄水で満たされる。
　【０００７】
　【実施例】
　以下に本発明を実施例に基づいて説明する。
　図１は本発明の実施例を示す自動落とし込み機能付風呂釜装置の構成図、図２は浴槽水排水時における制御動作例を示すフローチャートである。
　【０００８】
　１０は浴槽で、該浴槽１０の水は、循環金具１１を介して風呂追い焚き用循環路２０に循環される。風呂追い焚き用循環路２０は、風呂戻り管２１と風呂往き管２２とからなり、風呂戻り管２１には循環用ポンプ２３の他、風呂水位センサ２４、風呂温度センサ２５、風呂水流スイッチ２６等が設けられている。前記循環用ポンプ２３の駆動により、浴槽水は循環金具１１から風呂戻り管２１を通り、風呂追い焚き用缶体３０の熱交換コイル３１に搬送され、そこで加熱された後、風呂往き管
２２から
　【０００９】
　前記風呂追い焚き用缶体３０には、石油噴霧ノズル３２が備えられ、燃料噴霧と空気供給によって燃焼が行われる。
　前記風呂追い焚き用缶体３０の他に給湯器としての給湯用缶体４０が設けられており、該缶体４０には同様に石油噴霧ノズル４２が備えられ、燃料噴霧と送風器４３からの空気供給によって燃焼が行われる。これによって缶体４０内を通る熱交換コイル４１内の水が加熱される。
　【００１０】
　前記給湯用缶体４０の熱交換コイル４１へは、入水路５０を通って上水道等から水が供給され、そこで加熱された温水は出湯路６０に出湯される。出湯路６０からは一般給湯路７０と風呂自動落とし込み路８０に流路が分岐されている。
　前記風呂自動落とし込み路８０には、水量センサ８１、電磁開閉弁８２、逆止弁８３等が設けられている。
　風呂自動落とし込みが行われる際には、前記風呂自動落とし込み路８０の電磁開閉弁８２が開放され、前記風呂追い焚き用循環路２０の循環用ポンプ２３が駆動される。これによって、給湯器からの温水が風呂自動落とし込み路８０を通り、さらに風呂追い焚き用循環路２０の風呂戻り管２１から熱交換コイル３１、風呂往き管２２を通って、浴槽１０に供給される。
　【００１１】
　符号９０は装置のコントローラで、図示しないリモコンからの指令により、また装置各部のセンサからの情報を入力して、所定のプログラムに従って、風呂追い焚き、風呂自動落とし込み等の動作や装置各部の部材の動作の制御指令を出力する。
　前記コントローラ９０はその制御機能の１つとして、風呂水位センサ２４の検出する浴槽水位が前記循環金具１１を越える水位から以下の水位になると、前記風呂自動落とし込み路８０の電磁開閉弁８２を一旦開放すると共に前記風呂追い焚き用循環路２０の循環用ポンプ２３を駆動し、風呂自動落とし込み路８０の水量センサ８１が一定水量を検出した時点で電磁開閉弁８２の閉止と前記循環用ポンプ２３の停止を行う。
　【００１２】
　即ち、図２のフローチャートにしたがって更に説明すると、今、風呂の使用が終了することで、使用者が浴槽１０の図示しない排水栓を抜くと、浴槽水位が次第に低下し、やがて水位が循環金具１１の水位となる。このとき循環路２０に設けられた風呂水位センサ２４はプラス（＋）水位からゼロ（０）水位となる。コントローラ９０は風呂水位センサ２４からの入力される水位情報を監視し、水位がプラス水位からゼロになると（Ｓ１でイエス）、電磁開閉弁８２に開放指令を出し、また循環用ポンプ２３に駆動指令を出す（Ｓ２）。これによって、風呂自動落とし込み路８０を通って水（この場合には給湯用缶体４０を燃焼させないでおく）が循環路２０に流れ込み、残留している汚れた浴槽水が浴槽内に排出される。
　そして、この間、水量センサ８１による水量情報がコントローラ９０に入力され、一定水量に達した時点で（Ｓ３でイエス）、前記電磁開閉弁８２が閉止され、循環用ポンプ２３が停止される（Ｓ４）。
　【００１３】
　上記実施例では、一定水量を検出した時点で電磁開閉弁８２を閉止して清浄水の自動落とし込みを停止するようにしているが、代りに、タイマーによって一定時間だけ自動落とし込みをするようにしてもよい。
　【００１４】
　尚、浴槽使用時、即ち入浴時等における極端な水位低下（循環金具未満に低下）もあり得ることから、風呂追い焚き運転スイッチや自動保温、自動補水運転スイッチがオンしている場合には、上記自動落とし込みによる洗浄モードに入らないようにしてもよい。
　【００１５】
　【発明の効果】
　本発明は以上の構成よりなり、請求項１に記載の自動落とし込み機能付風呂釜装置によれば、浴槽水位が風呂追い焚き用循環金具を越える水位から以下の水位へと減少した
際には、風呂追い焚き運転スイッチがオンしている場合と自動保温、自動補水運転スイッチがオンしている場合とを除き、
【図面の簡単な説明】
　【図１】
　本発明の実施例を示す自動落とし込み機能付風呂釜装置の構成図である。
　【図２】
　浴槽水排水時における制御動作例を示すフローチャートである。
　【符号の説明】
　１０　浴槽
　１１　循環金具
　２０　風呂追い焚き用循環路
　２３　循環用ポンプ
　２４　風呂水位センサ
　３０　風呂追い焚き用缶体
　４０　給湯用缶体
　５０　入水路
　６０　出湯路
　７０　一般給湯路
　８０　風呂自動落とし込み路
　９０　コントローラ